(57)【要約】【課題】座席の状態を変換させる制御が簡易化され、複数の座席も一斉に迅速に変換させることができ、変換の動作を容易に制御することができる座席制御装置を提供する。【解決手段】座席制御装置１００により、各座席１が、ロング状態、一クロス状態、逆クロス状態の何れの状態にある場合でも、座席１ごとに各々の状態を個別に逐一判別することなく、それぞれ２つの動作指示信号だけでモータ４２の動作を制御して、座席１を所望の状態に変換させる。【選択図】図１
2018187971.tif 000002
【特許請求の範囲】
【請求項１】
座席の状態を変換させる動作を制御する座席制御装置において、
前記座席の状態を変換可能な変換機構を駆動する駆動手段と、
前記駆動手段の動作を制御する制御手段と、を備え、
前記座席は前記変換機構により、少なくとも所定の３つの状態として、第１の状態と、第２の状態と、第３の状態とに変換可能であり、第１の状態ないし第２の状態と、第２の状態ないし第３の状態は、それぞれ双方から変換可能であり、第１の状態ないし第３の状態は、これらの間の第２の状態を経て双方から変換可能であり、
前記制御手段は、前記駆動手段に対して、
前記座席を第１の状態に変換させる場合、先ず第３から第２の状態に変換させる動作を指示し、次に第２から第１の状態に変換させる動作を指示し、
前記座席を第２の状態に変換させる場合、第１から第２の状態に変換させる動作を指示し、また、第３から第２の状態に変換させる動作を指示し、
前記座席を第３の状態に変換させる場合、先ず第１から第２の状態に変換させる動作を指示し、次に第２から第３の状態に変換させる動作を指示するように設定されたことを特徴とする座席制御装置。
【請求項２】
前記座席が第２の状態にあることを検出する検出手段を備え、
前記制御手段は、前記座席を第１または第３の状態から第２の状態に変換させる場合、前記座席が既に第２の状態にあることを前記検出手段が検出すると、第２の状態に変換させる動作を行わないように設定されたことを特徴とする請求項１に記載の座席制御装置。
【請求項３】
前記駆動手段は、当て止め可能なモータからなり、
前記モータの回転による前記座席の何れか一の状態から他の状態への変換を所定の条件下で阻止するストッパを備え、
前記制御手段は、前記座席を何れか一の状態から他の状態に変換させる動作を指示した際に、前記座席が前記所定の条件下にある時も前記モータを一律に回転させるが、前記ストッパにより、前記モータの回転による前記座席の変換は阻止されるように設定されたことを特徴とする請求項１または２に記載の座席制御装置。
【請求項４】
前記座席は複数有り、各座席ごとに前記変換機構と前記駆動手段が備わり、
前記制御手段は、各座席を何れかの状態に揃えるように一斉に変換させるものであり、各座席の駆動手段に対して、一律に同じ動作を指示することを特徴とする請求項１，２または３に記載の座席制御装置。
【請求項５】
複数の座席はグループ分けされ、該グループ分けされた各座席グループは順序付けられており、
前記制御手段は、上位の座席グループから順次、グループごとに各座席を何れかの状態に揃えるように一斉に変換させるものであり、グループごとに各座席の駆動手段に対して、一律に同じ動作を指示することを特徴とする請求項４に記載の座席制御装置。
【請求項６】
複数の座席は前後に並べて配置され、先頭の列から順に奇数列の座席と偶数列の座席との２つにグループ分けされていることを特徴とする請求項５に記載の座席制御装置。
【請求項７】
前記座席の第１の状態は、前後方向に対して横向きとなるロング状態であり、
前記座席の第２の状態は、前後方向に対して前向きとなる一クロス状態であり、
前記座席の第３の状態は、前後方向に対して後向きとなる逆クロス状態であることを特徴とする請求項１，２，３，４，５または６に記載の座席制御装置。
【請求項８】
前記座席の変換機構は、前記座席を回転可能に支持する回転機構と、前記座席を前記回転機構ごと左右方向へ移動可能に支持するスライド機構と、前記座席を前記ロング状態ないし前記一クロス状態に変換させる時に、前記回転機構による座席の回転と前記スライド機構による座席の移動を連動させる連動機構とを備えてなることを特徴とする請求項７に記載の座席制御装置。
【発明の詳細な説明】
【技術分野】
【０００１】
本発明は、座席の状態を変換させる動作を制御する座席制御装置に関するものであり、例えば、鉄道車両、自動車、航空機、船舶等の各種乗物に搭載する座席に適用される。
【背景技術】
【０００２】
従来より、鉄道車両等の乗物に搭載される座席には、複数人が掛けられる腰掛タイプが多い。かかる座席は、一般に車両の客室内で前後（進行）方向の両側に一列ずつ、前後に複数並べて配置されている。ここで各座席には、前後方向に対して横向きとなるロング状態と、前向きとなる一クロス状態と、後向きとなる逆クロス状態とに、それぞれ回転させて向きを変換できる回転座席が知られている。
【０００３】
このような回転座席として、座席を回転ないしスライドさせる各機構に加えて伝達機構を備え、座席を方向転換する時に、伝達機構により座席の回転とスライドを連動させる装置が知られている（例えば、特許文献１参照）。かかる装置では、固定架台上にスライド架台がスライド可能に支持され、スライド架台上に座席が回転可能に支持され、伝達機構により座席の回転とスライドを連動させていた。各座席の方向転換は、一つの座席に対する一連の動作が行われた後、引き続き隣の座席にも同様の動作が繰り返し行われていた。
【先行技術文献】
【特許文献】
【０００４】
【特許文献１】特許第３４３１７７２号公報
【発明の概要】
【発明が解決しようとする課題】
【０００５】
しかしながら、前述した特許文献１に記載の技術では、複数の座席を一斉に方向転換することができなかった。すなわち、個々の座席ごとに順次、一連の切り替え動作を行わなければならず、全ての座席の方向転換が終了するまで非常に時間がかかり、乗り物の運行に支障を来す虞があった。
【０００６】
また、個々の座席において、電動による方向転換だけでなく、乗客が任意に手動で方向転換を行えるようにした場合、電動による動作時に、全ての座席が一律に同じ方向にあるとは限らない。従って、通常は各座席ごとに何れの向きかを判別してから個別に方向転換を行う必要がある。そのため、各座席ごとに全ての向きを判別するセンサ等の部品点数の増加を招き、制御プログラムも複雑となり、コストアップを招くという問題もあった。
【０００７】
本発明は、以上のような従来技術の有する問題点に着目してなされたものであり、座席の状態を変換させる制御が簡易化され、複数の座席も一斉に迅速に変換させることができ、簡易なプログラムや部品によって変換の動作を容易に制御することができ、コスト低減が可能な座席制御装置を提供することを目的としている。
【課題を解決するための手段】
【０００８】
前述した目的を達成するための本発明の要旨とするところは、以下の各項の発明に存する。  
［１］座席（１）の状態を変換させる動作を制御する座席制御装置（１００）において、
前記座席（１）の状態を変換可能な変換機構（１０）を駆動する駆動手段（４２）と、
前記駆動手段（４２）の動作を制御する制御手段（１１０）と、を備え、
前記座席（１）は前記変換機構（１０）により、少なくとも所定の３つの状態として、第１の状態と、第２の状態と、第３の状態とに変換可能であり、第１の状態ないし第２の状態と、第２の状態ないし第３の状態は、それぞれ双方から変換可能であり、第１の状態ないし第３の状態は、これらの間の第２の状態を経て双方から変換可能であり、
前記制御手段（１１０）は、前記駆動手段（４２）に対して、
前記座席（１）を第１の状態に変換させる場合、先ず第３から第２の状態に変換させる動作を指示し、次に第２から第１の状態に変換させる動作を指示し、
前記座席（１）を第２の状態に変換させる場合、第１から第２の状態に変換させる動作を指示し、また、第３から第２の状態に変換させる動作を指示し、
前記座席（１）を第３の状態に変換させる場合、先ず第１から第２の状態に変換させる動作を指示し、次に第２から第３の状態に変換させる動作を指示するように設定されたことを特徴とする座席制御装置（１００）。
【０００９】
［２］前記座席（１）が第２の状態にあることを検出する検出手段（１８）を備え、
前記制御手段（１１０）は、前記座席（１）を第１または第３の状態から第２の状態に変換させる場合、前記座席（１）が既に第２の状態にあることを前記検出手段（１８）が検出すると、第２の状態に変換させる動作を行わないように設定されたことを特徴とする前記［１］に記載の座席制御装置（１００）。
【００１０】
［３］前記駆動手段（４２）は、当て止め可能なモータ（４２）からなり、
前記モータ（４２）の回転による前記座席（１）の何れか一の状態から他の状態への変換を所定の条件下で阻止するストッパ（１６，１７）を備え、
前記制御手段（１１０）は、前記座席（１）を何れか一の状態から他の状態に変換させる動作を指示した際に、前記座席（１）が前記所定の条件下にある時も前記モータを（４２）一律に回転させるが、前記ストッパ（１６，１７）により、前記モータ（４２）の回転による前記座席（１）の変換は阻止されるように設定されたことを特徴とする前記［１］または［２］に記載の座席制御装置（１００）。
【００１１】
［４］前記座席（１）は複数有り、各座席（１）ごとに前記変換機構（１０）と前記駆動手段（４２）が備わり、
前記制御手段（１１０）は、各座席（１）を何れかの状態に揃えるように一斉に変換させるものであり、各座席（１）の駆動手段（４２）に対して、一律に同じ動作を指示することを特徴とする前記［１］，［２］または［３］に記載の座席制御装置（１００）。
【００１２】
［５］複数の座席（１）はグループ分けされ、該グループ分けされた各座席グループは順序付けられており、
前記制御手段（１１０）は、上位の座席グループから順次、グループごとに各座席（１）を何れかの状態に揃えるように一斉に変換させるものであり、グループごとに各座席（１）の駆動手段（４２）に対して、一律に同じ動作を指示することを特徴とする前記［４］に記載の座席制御装置（１００）。
【００１３】
［６］複数の座席（１）は前後に並べて配置され、先頭の列から順に奇数列の座席（１）と偶数列の座席（１）との２つにグループ分けされていることを特徴とする前記［５］に記載の座席制御装置（１００）。
【００１４】
［７］前記座席（１）の第１の状態は、前後方向に対して横向きとなるロング状態であり、
前記座席（１）の第２の状態は、前後方向に対して前向きとなる一クロス状態であり、
前記座席（１）の第３の状態は、前後方向に対して後向きとなる逆クロス状態であることを特徴とする前記［１］，［２］，［３］，［４］，［５］または［６］に記載の座席制御装置（１００）。
【００１５】
［８］前記座席（１）の変換機構（１０）は、前記座席（１）を回転可能に支持する回転機構（４０）と、前記座席（１）を前記回転機構（４０）ごと左右方向へ移動可能に支持するスライド機構（１４）と、前記座席（１）を前記ロング状態ないし前記一クロス状態に変換させる時に、前記回転機構（４０）による座席（１）の回転と前記スライド機構（１４）による座席（１）の移動を連動させる連動機構（５０）とを備えてなることを特徴とする前記［７］に記載の座席制御装置（１００）。
【００１６】
次に、前述した解決手段に基づく作用を説明する。
前記［１］に記載の座席制御装置（１００）によれば、座席（１）は変換機構（１０）により、少なくとも所定の３つの状態として、第１の状態と、第２の状態と、第３の状態とに変換させることができる。ここで座席（１）の状態とは、座席（１）の向きや姿勢を含む様々な状態を意味し、座席全体の水平方向の回転による座席（１）の向きに限らず、座席（１）の背凭れないし座部の傾動角度や姿勢等も含まれる。
【００１７】
座席（１）の第１の状態ないし第２の状態は、双方から直に変換させることができ、座席（１）の第２の状態ないし第３の状態も、双方から直に変換させることができる。ただし、座席（１）の第１の状態ないし第３の状態は、直に変換させることができず、これらの間の第２の状態を経ることで双方から変換させることができる。このように、座席（１）の第２の状態は、座席（１）の第１の状態と第３の状態との間において、これらの変換過程の途中に位置する状態となる。
【００１８】
座席（１）の変換機構（１０）は、駆動手段（４２）により駆動され、駆動手段（４２）の動作は、制御手段（１１０）により制御される。よって、駆動手段（４２）は電動で動作するものであるが、変換機構（１０）は必ずしも駆動手段（４２）の電動による駆動に限らず、操作者（例えば乗客）が手動で任意に駆動させることができるように構成しても良い。この場合、座席（１）の状態は、制御手段（１１０）により制御された状態に限らず、操作者により任意に操作された状態もあり得る。
【００１９】
何れにせよ制御手段（１１０）は、駆動手段（４２）の動作を制御することにより、座席（１）を第１の状態、第２の状態、第３の状態に自動的に変換させることができる。かかる制御において、変換前の座席（１）の状態を逐一判別することは面倒であるために省き、また、各々の状態に変換させるための制御の流れも、次のように簡素化している。
【００２０】
すなわち、座席（１）を第１の状態に変換させる場合、制御手段（１１０）は駆動手段（４２）に対して、先ず第３から第２の状態に変換させる動作を指示し、次に第２から第１の状態に変換させる動作を指示する。このような２段階の指示により、座席（１）が第１から第３の何れの状態にあったとしても、一律に座席（１）を第１の状態に変換させることができる。
【００２１】
また、座席（１）を第２の状態に変換させる場合、制御手段（１１０）は駆動手段（４２）に対して、第１から第２の状態に変換させる動作を指示し、また、第３から第２の状態に変換させる動作を指示する。ここでの２つの指示に時間的な前後関係はなく、２つの指示により、座席（１）が第１または第３の何れの状態にあったとしても、一律に座席（１）を第２の状態に変換させることができる。
【００２２】
また、座席（１）を第３の状態に変換させる場合、制御手段（１１０）は駆動手段（４２）に対して、先ず第１から第２の状態に変換させる動作を指示し、次に第２から第３の状態に変換させる動作を指示する。このような２段階の指示により、座席（１）が第１から第３の何れの状態にあったとしても、一律に座席（１）を第３の状態に変換させることができる。
以上の最小限の指令だけで、座席（１）が何れの状態にあっても、任意の状態に座席（１）を変換させることが可能となる。
【００２３】
前記［２］に記載の座席制御装置（１００）によれば、座席（１）の３つの状態のうち、最も位置（経由）する確率が高い第２の状態に座席（１）があることを検出する検出手段（１８）を備える。そして、制御手段（１１０）は、座席（１）を第１の状態または第３の状態から第２の状態に変換させる場合、既に座席（１）が第２の状態にあることを前記検出手段（１８）が検出すると、第２の状態に変換させる動作を行わない。
【００２４】
これにより、座席（１）の変換において、最も頻度の高い駆動手段（４２）の無駄な駆動を省くことができる。なお、具体的な制御としては、第２の状態に変換させる動作の指令を中止することで、当該変換の動作を行わないようにしても良い。あるいは、第２の状態に変換させる動作の指令は出力するが、当該出力に拘わらず別の指令に基づき当該変換の動作を中止するように制御しても良い。
【００２５】
前記［３］に記載の座席制御装置（１００）によれば、制御手段（１１０）は、座席（１）を何れか一の状態から他の状態に変換させる動作を指示した際に、座席（１）が所定の条件下にあればモータ（４２）を一律に回転させる。これにより、モータ（４２）を選択的に作動させるような制御フローをなるべく省き、制御を簡素化することができる。
【００２６】
また、本来想定していないような所定条件下における座席（１）の変換の阻止も、複雑な制御フローを経ることなく、単純にストッパ（１６，１７）で機械的に阻止することができる。ここでモータ（４２）は、当て止め可能であるため、過負荷により破損する虞もない。
【００２７】
以上の座席（１）の状態を変換させる動作の制御は、前記［４］に記載したように、一つの座席（１）に限らず複数の座席（１）を対象として実行することができる。複数の座席（１）を対象とする場合、その前提として、各座席（１）ごとに前記変換機構（１０）と前記駆動手段（４２）が備わっている。そして、制御手段（１１０）は、各座席（１）を何れかの状態に揃えるように一斉に変換させるものとなり、各座席（１）の駆動手段（４２）に対して、一律に前述した同じ動作を指示する。
【００２８】
このような制御によれば、各座席（１）の状態を変換させるに際して、個々の変換前の状態を判別する必要はない。すなわち、各座席（１）が何れの状態にあったとしても、各座席（１）の駆動手段（４２）に一律に同じ指令を出力して、変換機構（１０）に一斉に同じ動作を行わせることで、特定の状態に揃えるように迅速に変換させることが可能となる。
【００２９】
また、前記［５］に記載したように、複数の座席（１）をグループ分けして、グループ分けした各座席グループごとに一連の制御を行うようにしても良い。ここで各座席グループは順序付けられており、前記制御手段（１１０）は、上位の座席グループから順次、グループごとに各座席（１）を何れかの状態に揃えるように一斉に変換させる。すなわち、前記制御手段（１１０）は、グループごとに各座席（１）の駆動手段（４２）に対して、一律に同じ動作を指示することになる。
【００３０】
具体的なグループ分けとしては、例えば、前記［６］に記載したように、複数の座席（１）が前後に並べて配置されている場合には、先頭の列から順に奇数列の座席（１）と偶数列の座席（１）との２つにグループ分けすると良い。ここで２つのグループの順序付けは、どちらを上位としてもかまわず、各座席（１）の状態の変換に際し、前後に隣接する座席（１）同士が同時に動作することはなく、前後に１つおきの座席（１）が同時に動作することになるため、座席（１）同士の動作中における干渉を防ぐことができる。
【００３１】
また、座席（１）の状態に関しては、例えば、前記［７］に記載したように、第１の状態は、前後方向に対して横向きとなるロング状態とし、第２の状態は、前後方向に対して前向きとなる一クロス状態とし、第３の状態は、前後方向に対して後向きとなる逆クロス状態とすると良い。これにより、鉄道車両に搭載される一般的な座席（１）に、そのまま適用することができる。
【００３２】
さらに、座席（１）の変換機構（１０）としては、例えば、前記［８］に記載したように、座席（１）を回転可能に支持する回転機構（４０）と、座席（１）を回転機構（４０）ごと左右方向へ移動可能に支持するスライド機構（１４）と、座席（１）を前記ロング状態ないし前記一クロス状態に変換させる時に、回転機構（４０）による座席（１）の回転とスライド機構（１４）による座席（１）の移動を連動させる連動機構（５０）とを備えるものが適している。かかる変換機構（１０）によれば、座席（１）が壁面に近接して配置されたとしても、座席（１）の動作時に壁面と干渉することを防ぐことができる。
【発明の効果】
【００３３】
本発明に係る座席制御装置によれば、座席の状態を変換させる制御が簡易化され、複数の座席も一斉に迅速に変換させることができ、簡易なプログラムや部品によって変換の動作を容易に制御することができ、コスト低減が可能となる。
【図面の簡単な説明】
【００３４】
【図１】本発明の実施の形態に係る座席制御装置を概略的に示すブロック図である。
【図２】本発明の実施の形態に係る座席制御装置における動作指示と座席変換との関係を模式的に示す説明図および図表である。
【図３】本発明の実施の形態に係る座席制御装置により座席をロング状態から一クロス状態に変換させる制御の流れを示す説明図である。
【図４】本発明の実施の形態に係る座席制御装置により座席を逆クロス状態から一クロス状態に変換させる制御の流れを示す説明図である。
【図５】本発明の実施の形態に係る座席制御装置により座席をロング状態から逆クロス状態に変換させる制御の流れを示す説明図である。
【図６】本発明の実施の形態に係る座席制御装置により座席を一クロス状態から逆クロス状態に変換させる制御の流れを示す説明図である。
【図７】本発明の実施の形態に係る座席制御装置により座席を何れかの状態からロング状態に変換させる制御の流れを示す説明図である。
【図８】本発明の実施の形態に係る変換機構においてロング状態からクロス状態に変換させる動作を示す斜視図である。
【図９】本発明の実施の形態に係る変換機構におけるロング状態を示す斜視図である。
【図１０】本発明の実施の形態に係る変換機構における一クロス状態を示す斜視図である。
【図１１】本発明の実施の形態に係る変換機構における逆クロス状態を示す斜視図である。
【図１２】本発明の実施の形態に係る変換機構のうち台枠を除いたロング状態を示す斜視図である。
【図１３】本発明の実施の形態に係る変換機構のうち台枠を除いたクロス状態を示す斜視図である。
【図１４】本発明の実施の形態に係る変換機構におけるロング状態を示す平面図である。
【図１５】本発明の実施の形態に係る変換機構におけるロング状態を示す正面図である。
【図１６】本発明の実施の形態に係る変換機構におけるロング状態における進退ロック機構を拡大して示す正面図である。
【図１７】本発明の実施の形態に係る変換機構における一クロス状態を示す平面図である。
【図１８】本発明の実施の形態に係る変換機構における一クロス状態を示す正面図である。
【図１９】本発明の実施の形態に係る変換機構における一クロス状態における進退ロック機構を拡大して示す正面図である。
【図２０】本発明の実施の形態に係る変換機構における逆クロス状態を示す平面図である。
【図２１】本発明の実施の形態に係る変換機構における逆クロス状態を示す正面図である。
【図２２】本発明の実施の形態に係る変換機構の連動機構の要部を拡大して示す平面図である。
【図２３】本発明の実施の形態に係る変換機構の回転ロック機構のうちロックピンとその駆動機構を示す正面図である。
【図２４】本発明の実施の形態に係る変換機構の回転ロック機構のうち係止孔を示す正面図であり、（ａ）台枠の一長辺側にある係止孔、（ｂ）台枠の両短辺側にある係止孔である。
【図２５】本発明の実施の形態に係る変換機構の進退ロック機構の要部を拡大して示す斜視図である。
【図２６】本発明の実施の形態に係る変換機構の進退ロック機構の動作を説明する正面図である。
【図２７】本発明の実施の形態に係る変換機構の進退ロック機構のうちロックピンとその駆動機構を示す正面図である。
【図２８】本発明の実施の形態に係る変換機構の進退ロック機構の動作を説明する正面図である。
【図２９】本発明の実施の形態に係る変換機構の進退ロック機構の動作の続きを説明する正面図である。
【図３０】本発明の実施の形態に係る変換機構の進退ロック機構の動作を説明する斜視図である。
【図３１】本発明の実施の形態に係る変換機構の進退ロック機構の動作の続きを説明する斜視図である。
【図３２】本発明の実施の形態に係る変換機構の回転ロック機構のうち台枠の一短辺側にある係止孔を示す正面図である。
【図３３】本発明の実施の形態に係る変換機構により座席をロング状態から一クロス状態に変換させる動作を示す説明図である。
【発明を実施するための形態】
【００３５】
以下、図面に基づき本発明を代表する実施の形態を説明する。
図１〜図３３は、本発明の一実施の形態を示している。
本実施の形態に係る座席制御装置１００は、座席１の状態を変換させる動作を制御するものである。図１に示すように、座席制御装置１００は、座席１の状態を変換可能な変換機構１０を駆動するモータ（駆動手段）４２と、該モータ４２の動作を制御する制御手段１１０等を備えている。
【００３６】
先ず、制御対象である座席１について説明する。
座席１の種類は、特に限定されるものではないが、以下、鉄道車両の客室内に搭載した２人掛けの腰掛に適用した場合を例に説明する。図３に示すように、鉄道車両の客室Ａには、前後（進行）方向の両側に一列ずつ、複数の座席１が前後に並べて配置され、両列の間が通路となっている。座席１は、例えば２人掛け用として、２つの座部と背凭れを両側方向に並設してなる。
【００３７】
各座席１には、それぞれ座席１の状態を、所定の３つの状態として、第１の状態と、第２の状態と、第３の状態とに変換可能な変換機構１０が備えられている。ここで座席１の状態とは、座席１の向きや姿勢を含む様々な状態を意味し、座席１全体の水平方向の回転による座席１の向きに限らず、座席１の背凭れないし座部の傾動角度や姿勢等も含まれるが、本実施の形態では座席１の「向き」を状態とする。
【００３８】
変換機構１０により座席１の状態である向きは、座席１が前後方向に対して横向きとなり、座席背面側が壁面Ａ１に平行となる第１の状態（以下、ロング位置）と、座席１が前後方向に対して前向きとなり、座席背面側が壁面Ａ１と直交する第２の状態（以下、一クロス状態）と、座席１が前後方向に対して後向きとなり、座席背面側が壁面Ａ１と直交する第３の状態（以下、逆クロス状態）とに、それぞれ変換可能となっている。
【００３９】
座席１のロング状態の角度を０°とすると、ロング状態から一方向へ９０°回転させると一クロス状態（９０°）となり、さらに一方向へ１８０°回転させると逆クロス状態（２７０°）となる。詳しくは後述するが、座席１は逆方向にも回転可能である。ただし、逆クロス状態からさらに一方向への回転は規制され、また、ロング状態から逆方向への回転も規制されている。
【００４０】
座席１のロング状態ないし一クロス状態は、双方から直に変換させることができ、座席１の一クロス状態ないし逆クロス状態も、双方から直に変換させることができる。ただし、座席１のロング状態ないし逆クロス状態は、直に変換させることができず、これらの間の一クロス状態を経ることで双方から変換させることができる。このように、座席１の一クロス状態は、座席１のロング状態と逆クロス状態との間において、これらの変換過程の途中に位置する状態となっている。
【００４１】
図８に示すように、変換機構１０は、各座席１ごとの構成の一部として、脚台１１と、移動台２０と、座席１の台枠３０とを備えている。また、変換機構１０は、座席１を回転可能に支持する回転機構４０と、座席１を前記回転機構４０ごと左右方向へ移動可能に支持するスライド機構１４と、座席１をロング状態ないし一クロス状態に変換させる時に、前記回転機構４０による座席１の回転と前記スライド機構１４による座席１の移動を連動させる連動機構５０とを備えている。
【００４２】
図９は、ロング状態にある変換機構１０を示し、図１０は、一クロス状態にある変換機構１０を示し、図１１は、逆クロス状態にある変換機構１０を示している。以下、一クロス状態と逆クロス状態とを総称する場合は、単にクロス状態と表記する。図１２は、変換機構１０のうち台枠３０を除いたロング状態を示し、図１３は、変換機構１０のうち台枠３０を除いたクロス状態を示している。
【００４３】
図１２および図１３に示すように、脚台１１は、車両客室内にて壁面Ａ１（図８参照）の傍らの床面上に固設されている。脚台１１は、壁面Ａ１と略直交する方向に長い架台状にフレーム材を組み合わせて構成されている。脚台１１の上側を覆う上面部１２は略水平であり、上面部１２の長手方向に延びる両側の長辺は前記壁面Ａ１と略直交し、上面部１２の前後の短辺は前記壁面Ａ１と略平行に配されている。
【００４４】
上面部１２には、後述する移動台２０の進退に伴って移動する回転軸４１が、その移動軌跡に沿って通過可能な回避部１２ａが設けられている。回避部１２ａは、上面部１２の前側の短辺から略中央に向かって、前側の短辺に開口して内側へ凹む湾状の切り欠きとして設けられている。回避部１２ａは、回転軸４１が上面部１２と干渉することを避けるための部位である。なお、上面部１２上には、台枠３０の回転方向を規制するためのストッパ１６等の関連部品も取り付けられている。
【００４５】
脚台１１の上面部１２の直ぐ下側には、スライド機構１４を介して移動台２０が壁面Ａ１と直交する方向（左右方向）へ進退可能に取り付けられている。スライド機構１４は、脚台１１の両側部１３，１３の内側に設けられた一対のガイドレール１５，１５を備えている。一対のガイドレール１５，１５は、脚台１１の上面部１２の両長辺に沿って互いに平行に対向しており、各ガイドレール１５の内側に、次述する移動台２０の両側部２１，２１がそのまま摺動可能に嵌合している。
【００４６】
移動台２０は、脚台１１の上面部１２の下側に配置されており、長方形の枠組状にフレーム材を組み合わせて構成されている。移動台２０の両側部２１は、前述のガイドレール１５の内側に摺動可能に嵌合している。よって、移動台２０は、壁面Ａ１に対して略直交する方向に前進ないし後退するようにスライド可能となっている。
【００４７】
移動台２０の略中央には、座席１を回転可能に支持する回転機構４０（図８参照）の取付部２２が設けられている。取付部２２に取り付けた回転機構４０により、移動台２０上に台枠３０は回転可能に支持される。回転機構４０は、例えば、図示省略したが上下一対のリング状の回転盤が、その間にベアリング等を介在させて互いに回転可能に組み合わされたユニットとして構成されている。回転機構４０は、下側の回転盤が取付部２２における円孔の周囲に固設され、上側の回転盤が台枠３０の底面側に固設されている。
【００４８】
変換機構１０は、回転機構４０を先ず駆動するための駆動手段としてモータ４２を備えている。モータ４２は、図示省略したが減速機が付設され、当て止め可能に構成されたものであり、例えば、当て止め時にかかる所定値以上の出力トルクに対する耐性を備えたトルクモータが適している。モータ４２の出力軸上には、該出力軸と一体的に回転するスプロケットが軸支され、このスプロケットの外周の歯は、脚台１１の回避部１２ａにより上面部１２の上方に一部が突出している。
【００４９】
座席１の回転中心となる回転機構４０の回転軸４１は、上下の回転盤の中心線であり、本実施の形態では物理的な実態を伴うものではないが、脚台１１の上面部１２の下側より上方へ延びており、前記回避部１２ａを通ることで上面部１２とは干渉しない。回転軸４１の周囲となる上側の回転盤には、前述したように台枠３０が一体に取り付けられており、座席１と台枠３０は回転軸４１を中心として回転する。
【００５０】
図９〜図１１に示すように、台枠３０は、脚台１１の上面部１２の上側に配置されており、長方形の金属板により構成されている。台枠３０は、座席１を取り付けて支持するものであり、座席１の座部底面に合致する両側方向に長い長方形となっている。このような台枠３０には、図示省略したが回転軸４１を中心とした円周に沿って、前記スプロケットの歯が噛み合う複数の穿孔が列設されている。
【００５１】
よって、モータ４２によりスプロケットが回転すると、回転軸４１を中心とした台枠３０の円周上に配された複数の穿孔が順次回転移動するため、モータ４２の動力で座席１は回転するように構成されている。詳しく言えば、座席１のロング状態から一クロス状態への変換と、一クロス状態から逆クロス状態への変換は、モータ４２の正回転により行われる。一方、座席１の逆クロス状態から一クロス状態への変換と、一クロス状態からロング状態への変換は、モータ４２の逆回転により行われるように設定されている。
【００５２】
ただし、図１に示すように、鉄道車両の客室Ａの中央の通路を間にして左右に一列ずつ並ぶ、右列の座席１と左列の座席１とは、互いに左右対称となるように構成されている。従って、右列の座席１と左列の座席１とは、それぞれ対称的に回転ないしスライドするが、これに合わせてモータ４２の回転方向を逆にしたり、あるいはモータ４２の回転方向は統一するように構成してもかまわない。
【００５３】
図２０に示すように、台枠３０上には、前記モータ４２の正回転による座席１の逆クロス状態から一クロス状態への変換を阻止するストッパ１６が設けられている。かかるストッパ１６は、座席１の底面側に設けられた被係合部（図示せず）に係合することで、座席１が２７０°以上回転しないように規制するための部材である。
【００５４】
図１４に示すように、台枠３０上には、前記モータ４２の逆回転による座席１のロング状態から一クロス状態への変換を阻止するストッパ１７が設けられている。かかるストッパ１７は、座席１の底面側に設けられた被係合部（図示せず）に係合することで、座席１が０°以下には回転しないように規制するための部材である。
【００５５】
また、変換機構１０は、座席１の向きをロング状態ないしクロス状態に変換させる時、座席１が壁面Ａ１と干渉しないように座席１の回転と進退を連動させる連動機構５０を備えている。連動機構５０は、座席１を台枠３０と共に回転させた時、該台枠３０の回転を直線運動に変換し前記回転機構４０を介して移動台２０に伝達し、移動台２０を台枠３０と共に、壁面Ａ１に対して近接ないし離隔するように直交する方向へ進退させる。
【００５６】
図９，図１０に示すように、連動機構５０は、脚台１１の上面部１２の上側に設けられたガイドレール５１と、台枠３０の下側に設けられたローラー５２とを備えている。また、ローラー５２は、補助ローラー５３を備えている。ガイドレール５１は、脚台１１の上面部１２上において、取付部２２の傍らを通り両側方向へ屈曲しつつ延びる長尺状に形成され、上面部１２の水平な基準面より上方へ所定高さに突出している。
【００５７】
ローラー５２は、台枠３０の下側において、座席１の回転軸４１から偏心した位置で下方へ突出するよう回転可能に軸支されている。図２２に示すように、ローラー５２の回転軸５２ａには、アーム５４の基端が揺動可能に枢支され、アーム５４の先端には、補助ローラー５３が自転可能かつ回転軸５２ａの回りに公転可能に軸支されている。補助ローラー５３は、台枠３０において回転軸５２ａを中心とする円弧状に穿設されたガイド溝５５に沿って移動可能であり、ローラー５２に対して近接ないし離隔可能に支持され、バネ部材５６を介して近接する方向へ常時付勢されている。
【００５８】
ローラー５２と補助ローラー５３は、座席１がロング状態ないしクロス状態に変換される時、ガイドレール５１を両側から挟持している。かかる状態でローラー５２と補助ローラー５３は、座席１の回転に伴いガイドレール５１の一端から他端にかけて移動し、台枠３０の回転が直線運動に変換され、回転機構４０を介して移動台２０に伝達される。これにより、座席１を図９のロング状態から図１０の一クロス状態、逆に、一クロス状態からロング状態に変換させることができるように構成されている。
【００５９】
また、変換機構１０は、台枠３０（座席１）をロング状態とクロス状態のそれぞれの回転位置で回転不能に拘束する回転ロック機構６０を備えている。ここで回転ロック機構６０は、台枠３０を脚台１１に対して回転不能に拘束するため、必然的に移動台２０も脚台１１に対して進退不能に拘束するものとなる。
【００６０】
図９〜図１１に示すように、回転ロック機構６０は、脚台１１側から台枠３０に亘り上下に出没可能なロックピン６１と、台枠３０に設けられて前記ロックピン６１が係脱する係止孔６２ａ，６２ｂ，６２ｃとを備えている。各係止孔６２ａ，６２ｂ，６２ｃは、矩形状の台枠３０のうち、座席背面側に沿う一長辺側と、座席１両側に沿う両短辺側に、それぞれ合計３つ設けられている。各係止孔６２ａ，６２ｂ，６２ｃは、台枠３０の各辺の端縁から少し離れた位置で、一部が開口した切欠ではなく、応力集中を避けて強度向上のために周囲が囲まれた孔として設けられている。
【００６１】
ロックピン６１は、ユニット６０ａに組み込まれており、該ユニット６０ａは、脚台１１の上面部１２の下側に取り付けられている。上面部１２には、ロックピン６１が挿通する孔が形成されており、ロックピン６１は、脚台１１の上面部１２より上方へ出没可能となっている。ロックピン６１は、座席１がロング状態ないしクロス状態に変換された時、当該位置で上下に合致する台枠３０側の係止孔６２ａ，６２ｂ，６２ｃに挿入されて係合する。
【００６２】
詳しく言えば、図９に示すロング状態の時、ロックピン６１は、台枠３０の一長辺側にある係止孔６２ａに挿入されて係合する。また、図１０に示す一クロス状態の時、ロックピン６１は、台枠３０の一短辺側にある係止孔６２ｂに挿入されて係合する。さらに、図１１に示す逆クロス状態の時、ロックピン６１は、台枠３０の他短辺側にある係止孔６２ｃに挿入されて係合する。なお、ロックピン６１が上面部１２より下方へ突出する位置では、上面部１２の下側で進退する移動台２０の一部が干渉することはない。
【００６３】
ロックピン６１は、電動操作および手動操作によって出没動作し、上方へ突出して係止孔６２ａ，６２ｂ，６２ｃに挿入されるロック位置と、下方へ没入して係止孔６２ａ，６２ｂ，６２ｃから外れる解除位置とに変位する。ここでロックピン６１のロック位置から解除位置に至るストロークは、電動操作と手動操作とで差が設けられている。詳しく言えば、図２３に示すように、ロックピン６１は、一端を回転中心６３ａとするリンク６３を含む駆動機構を介して出没動作するように、ユニット６０ａに組み込まれている。
【００６４】
ここでリンク６３における回転半径の異なる部位に、それぞれリンク６３を駆動するための電動側ケーブル６４と手動側ケーブル６５が連結されている。各ケーブル６４，６５自体の操作量が同じである場合、リンク６３の回転中心６３ａに近い方のケーブルによるストロークの方が大きくなる。この回転半径の差を利用して、手動側ケーブル６５によるロックピン６１のストロークを、電動側ケーブル６４による場合の半分に設定している。
【００６５】
また、手動側ケーブル６５は、その先に図示省略した手動レバーが連結されており、手動レバーにおいてもストロークが調整できる機能を有している。よって、電動側ケーブル６４と手動側ケーブル６５を逆に取り付けることができ、回転半径の差を利用しなくても、手動側ケーブル６５の操作によるロックピン６１のストローク径を短くすることができる。
【００６６】
一方、ロックピン６１が係脱する係止孔６２ａ，６２ｂ，６２ｃに関しては、図９，図２４（ａ）に示すように、座席１をロング状態にロック（拘束）するための係止孔６２ａの下側には、係止孔６２ａに合致する孔がある板金３２が取り付けられている。よって、係止孔６２ａに関しては、他の係止孔６２ｂ，６２ｃ（図２４（ｂ）参照）よりも板金３２の厚さ分だけ、ロックピン６１を大きくストロークさせないと、ロックを解除できないように設定されている。
【００６７】
要は、座席１がロング状態にある時は、回転ロック機構６０のロックを手動側ケーブル６５による操作では解除できず、電動側ケーブル６４による操作で解除することができるように設定されている。電動による操作は、車両の乗務員や駅員によって行われるものであり、手動による操作は主に乗客によって行われる。
【００６８】
なお、停電等の非常時にロックを解除できるように、回転ロック機構６０、進退ロック機構７０に、それぞれ連結する非常用手動操作部が別途脚台１１の脚等に設けられている。非常用手動操作部の操作によるロックピン６１，７１のストローク量は、それぞれ板金３２の厚さやヒンジ７５より大きいため、非常時にはロング状態からクロス状態、またはクロス状態からロング状態への変換が可能である。
【００６９】
このような回転ロック機構６０によれば、ロックピン６１は、車両に固定されている脚台１１から出没する。そのため、台枠３０が回転不能にロックされると、台枠３０が回転機構４０を介して支持されている移動台２０も、同時に進退不能にロックされる。かかる座席１の回転不能かつ進退不能の同時ロックは、ロックピン６１を移動台２０ではなく脚台１１に取り付けると共に、脚台１１の上面部１２に、回転機構４０との干渉を回避する回避部１２ａを開設したことにより実現されている。
【００７０】
さらに、変換機構１０は、台枠３０（座席１）をロング状態とクロス状態のそれぞれの位置で進退不能に拘束するための進退ロック機構７０を備えている。進退ロック機構７０は、前記回転ロック機構６０とは別に、移動台２０を脚台１１に対して進退不能に拘束するものである。かかる進退ロック機構７０によれば、前記回転ロック機構６０による拘束を解除した状態においても、座席１の進退のみを不能に拘束することが可能となる。
【００７１】
図２５に示すように、進退ロック機構７０は、脚台１１側から移動台２０に亘り上下に出没可能なロックピン７１と、移動台２０に設けられて前記ロックピン７１が係脱する係止孔７２ａ，７２ｂとを備えている。各係止孔７２ａ，７２ｂは、図１８に示すように、移動台２０の後方下側で前後方向に延びるフレーム材２３の前後端に、それぞれ合計２つ設けられている。各係止孔７２ａ，７２ｂは、フレーム材２３の前後端にて、一部が開口した切欠ではなく、応力集中を避けて強度向上のために周囲が囲まれた孔として設けられている。
【００７２】
ロックピン７１は、ユニット７０ａに組み込まれており、該ユニット７０ａは、移動台２０の下側に位置する脚台１１の内側に配設されている。ロックピン７１は、移動台２０のフレーム材２３の直ぐ下側より上方へ出没して、座席１がロング状態ないしクロス状態に変換された時、当該位置で上下に合致する各係止孔７２ａ，７２ｂに挿入されて係合する。ロックピン７１は、前記ロックピン６１と同様に脚台１１側に取り付けられているが、その取り付け位置は異なっている。
【００７３】
詳しく言えば、図１５に示すロング状態の時、ロックピン７１は、前側の係止孔７２ａ（図２５参照）に挿入されて係合する。ただし、ロング状態の時のロックピン７１は、係止孔７２ａに必ずしも挿入している必要はない。また、図１８に示す一クロス状態の時、ロックピン７１は、後側の係止孔７２ｂ（図２５参照）に挿入されて係合する。同様に、図２１に示す逆クロス状態の時も、ロックピン７１は、後側の係止孔７２ｂに挿入されて係合する。
【００７４】
図２７に示すように、ロックピン７１は、バネ部材７３によって上方へ突出するロック位置に常時付勢されている。かかるロックピン７１は、電動操作によってのみ、バネ部材７３の付勢力に抗して下方へ没入する解除位置に変位する。ロックピン７１の下端は、リンク７４を介して図示省略したソレノイドに連結され、このソレノイドの駆動によって、ロックピン７１は下方へ引っ張られて解除位置に変位する。よって、ロックピン７１は、前記回転ロック機構６０のロックピン６１の場合と異なり、電動操作でのみ動作し、手動操作ではロックを解除することができない。
【００７５】
進退ロック機構７０によれば、前記回転ロック機構６０によりロックされている時は、特に操作する必要もないが、前記回転ロック機構６０がロック解除された時に、移動台２０を台枠３０（座席１）ごと進退不能にロックすることができる。すなわち、座席１を回転できない時は、座席１の進退もできないが、座席１を回転できる時は、座席１の進退だけできないようにしたり、あるいは、座席１の回転に伴ない進退させることができる。
【００７６】
また、進退ロック機構７０では、座席１をロング状態（０°）から一クロス状態（９０°）に９０°回転させる時、ロックピン７１の先端は、図１６に示すフレーム材２３の前端側（図中で右側）から係止孔７２ｂ上を通過して後端側（図中で左側）まで相対的に移動し、再び前端側へ少し戻って係止孔７２ｂに挿入される（図１９参照）。ここでロックピン７１が後端側へ移動する時に、バネ部材７３の付勢力で係止孔７２ｂに入らないようにする必要がある。
【００７７】
そのため、図２５に示すように、係止孔７２ｂの手前には、係止孔７２ｂを一時的に塞ぐためのヒンジ７５が起倒可能に設けられている。ヒンジ７５は、係止孔７２ｂの手前で通常は起立した状態に付勢されている。図２６に示すように、ヒンジ７５は、前方から相対的に移動してきたロックピン７１の先端が当たると、付勢力に抗して係止孔７２ｂを塞ぐ状態に倒れるように設けられている。なお、ヒンジ７５は、反対方向に倒れることはない。
【００７８】
逆に、ロックピン７１の先端が、フレーム材２３の後端側から前端側に向かい相対的に前方へ移動する時は、ロックピン７１が、係止孔７２ｂに入ったり起立したヒンジ７５に引っ掛からないようにする必要がある。そのため、図２７に示すように、ロックピン７１の傍らには、バネ部材７３の付勢力に抗してロックピン７１を引っ込めた状態に保持するサイドピン７６が設けられている。
【００７９】
サイドピン７６は、ロックピン７１の軸方向と直交する側方より、ロックピン７１に対して係脱可能に支持されている。ロックピン７１の外周には、上下に離隔した位置に係止穴７１ａ，７１ｂが凹設されている。図２８に示すように、ロックピン７１の上側の係止穴７１ａにサイドピン７６の先端が係合すると、ロックピン７１は引っ込んだ解除位置に保持され、図２９に示すように、ヒンジ７５に引っ掛かることなく移動することができる。なお、ロックピン７１の下側の係止穴７１ｂにサイドピン７６の先端が係合すると、ロックピン７１は突出したロック位置に保持される。
【００８０】
図３０，図３１に示すように、サイドピン７６は、揺動部材７７を介して、先端がロックピン７１の係止穴７１ａ，７１ｂに係合する状態と離脱する状態とに、軸方向に移動可能に支持されている。揺動部材７７の先端は、サイドピン７６の途中に押し引き可能に連結され、この先端と揺動中心を間にして反対側の基端は、移動台２０側に固定された解除レバー７８に係脱するように配置されている。よって、揺動部材７７の基端に解除レバー７８が係合して押されると、揺動部材７７の先端の揺動に伴ないサイドピン７６はロックピン７１より離脱し、サイドピン７６によるロックピン７１の拘束は解除される。
【００８１】
次に、本発明の根幹である座席制御装置１００について説明する。
図１に示すように、座席制御装置１００は、座席１の状態を変換可能な変換機構１０を駆動する前記モータ（駆動手段）４２と、座席１が一クロス状態にあることを検出するセンサ（検出手段）１８と、各種操作を行うための操作スイッチ１０１と、前記モータ４２の動作を制御する制御盤（制御手段）１１０等を備えている。
【００８２】
制御盤１１０は、モータ４２の動作やセンサ１８の信号等の送受信を統括的に監視および制御するものであり、本発明における「制御手段」としての機能を果たしている。制御盤１１０は、種々のデータ処理を行うＣＰＵや主メモリーであるＲＯＭ、ＲＡＭの他、入出力回路、通信回路等を主要部とするシーケンサにより構成されている。
【００８３】
制御盤１１０は、通常は運転席等に設置されており、客室Ａにある複数の座席１の変換を集中的に制御する。図２〜図６では、制御盤１１０により一車両の客室Ａだけの各座席１の制御を示しているが、全車両の客室Ａにある全て座席１を一台の制御盤１１０で制御できるように構成することもできる。
【００８４】
各座席１のモータ４２やセンサ１８は、座席１ごとに設置された中継器（図示せず）を介して制御盤１１０に接続されている。なお、実際上は、図２に示す右列の座席Ｒ１〜Ｒ４と左列の座席Ｌ１〜Ｌ４を、別々の中継器を介して制御盤１１０に区別して接続するように構成しても良い。モータ４２は、前述したように当て止め可能なものであり、例えばトルクモータが適している。
【００８５】
センサ１８は、図示省略したが脚台１１の上面部１２に取り付けられており、台枠３０（座席１）が一クロス状態となった時にＯＮとなり検出信号を出力する「検出手段」に相当するものである。かかるセンサ４３は、例えば、台枠３０の一部との距離に応じて動作する近接スイッチや磁気センサ等により構成され、前記中継器を介して制御盤１１０に接続されている。
【００８６】
また、操作スイッチ１０１は、制御盤１１０と同様に通常は運転席等に設置されており、各座席１をロング状態に変換させる指示と、各座席１を一クロス状態に変換させる指示と、各座席１を逆クロス状態に変換させる指示の入力操作を行うボタン等が設けられている。操作スイッチ１０１は、信号線を介して制御盤１１０に接続されている。
【００８７】
図２に示すように、制御盤１１０が果たす機能として、各座席１の変換に関しては、次のようにプログラムされている。
ａ．制御盤１１０は、座席１をロング状態に変換させる場合、操作スイッチ１０１からの指示に基づき各座席１のモータ４２に対して、先ず逆クロス状態から一クロス状態に変換させる動作（モータ４２の逆回転１８０°）を指示し、次に一クロス状態からロング状態に変換させる動作（モータ４２の逆回転９０°）を指示する。
【００８８】
ｂ．制御盤１１０は、座席１を一クロス状態に変換させる場合、操作スイッチ１０１からの指示に基づき各座席１のモータ４２に対して、ロング状態から一クロス状態に変換させる動作（モータ４２の正回転９０°）を指示し、また、逆クロス状態から一クロス状態に変換させる動作（モータ４２の逆回転１８０°）を指示する。ここでの２つの動作の指令に、時間的な前後関係はなく、どちらを先に出力しても良い。
【００８９】
ｃ．制御盤１１０は、座席１を逆クロス状態に変換させる場合、操作スイッチ１０１からの指示に基づき各座席１のモータ４２に対して、先ずロング状態から一クロス状態に変換させる動作（モータ４２の正回転９０°）を指示し、次に一クロス状態から逆クロス状態に変換させる動作（モータ４２の正回転１８０°）を指示する。
【００９０】
なお、座席１をロング状態から一クロス状態に変換させる指令と、一クロス状態から逆クロス状態に変換させる指令は、モータ４２を正回転させる動作指示信号として共通し、モータ４２の回転角度（作動時間）が異なる。また、各座席１を逆クロス状態から一クロス状態に変換させる指令と、一クロス状態からロング状態に変換させる指令は、モータ４２を逆回転させる動作指示信号として共通し、モータ４２の回転角度（作動時間）が異なる。
【００９１】
また、制御盤１１０は、各座席１をロング状態または逆クロス状態から一クロス状態に変換させる場合、座席１が既に一クロス状態にあることを前記センサ１８で検出すると、当該時点での一クロス状態に変換させる動作は行わない。かかる制御は、一クロス状態に変換させる動作（モータ４２の正回転９０°または逆回転１８０°）を中止することで、当該変換の動作を行わないようにしても良い。あるいは、一クロス状態に変換させる動作の指令は出力するが、当該出力に拘わらず別の指令に基づき当該動作を中止するように制御しても良い。
【００９２】
また、制御盤１１０は、各座席１を何れか一の状態から他の状態に変換させる動作を指示した際に、座席１が所定の条件下にある時もモータ４２を一律に回転させるように設定されている。ただし、座席１が所定の条件下にある時にモータ４２が回転しても、前記ストッパ１６，１７により、モータ４２の回転による前記座席１の変換は阻止される。
【００９３】
ここで所定の条件下とは、座席１をロング状態から一クロス状態に変換させる動作、および一クロス状態から逆クロス状態に変換させる動作を指示した際に、座席１が逆クロス状態にある場合である。かかる場合も、制御盤１１０はモータ４２を一律に正回転させるが、前記ストッパ１６により、モータ４２の正回転による座席１の逆クロス状態から一クロス状態への変換は阻止される。
【００９４】
同様に、座席１を逆クロス状態から一クロス状態に変換させる動作、および一クロス状態からロング状態に変換させる動作を指示した際に、座席１がロング状態にある場合も、前記所定の条件下に相当し、制御盤１１０はモータ４２を一律に逆回転させるが、前記ストッパ１７により、モータ４２の逆回転による座席１のロング状態から一クロス状態への変換は阻止される。
【００９５】
さらに、制御盤１１０によれば、各座席１をグループ分けすることが可能であり、該グループ分けされた各座席グループは順序付けられている。制御盤１１０は、上位のグループから順に、グループごとの各座席１を何れかの状態に揃えるように一斉に変換させるものであり、グループごとの各座席１のモータ４２に対して、一律に同じ動作（前記ａ〜ｃの制御）を指示する。本実施の形態では、図３に示す鉄道車両の客室Ａにおいて、先頭から順に奇数列の座席１と偶数列の座席１との２つにグループ分けされている。
【００９６】
次に、本実施の形態に係る変換機構１０の動作の詳細を説明する。  
図８に示すように、変換機構１０では、脚台１１の上面部１２を間にして、下側には、移動台２０が配置され、上側には、移動台２０に回転機構４０で支持された台枠３０が配置されている。従って、変換機構１０は、下から順に、脚台１１、移動台２０、脚台１１の上面部１２、台枠３０と重なる構造となる。
【００９７】
かかる構造の場合、移動台２０と台枠３０の間に介在する上面部１２が、そのままでは移動台２０の進退時に回転軸４１の動きを妨げることになるが、回転軸４１は、上面部１２にある回避部１２ａを通るため、上面部１２と干渉することはない。これにより、脚台１１の上面部１２の下側における移動台２０の進退を実現することができる。
【００９８】
図３３に示すように、座席１を台枠３０と共に回転させると、該台枠３０の回転は直線運動に変換され、回転機構４０を介して移動台２０に伝達される。よって、移動台２０は回転する台枠３０と共に、壁面Ａ１（図８参照）と直交する方向へ進退する。このような座席１の回転と進退の連動により、座席１が壁面Ａ１に近接していても壁面Ａ１と干渉しないように、座席背面側が壁面Ａ１に平行となるロング状態（図３３（ａ））と、座席背面側が壁面Ａ１と直交する一クロス状態（図３３（ｃ））とに、座席１の向きを一連の動作で容易に変換させることができる。
【００９９】
図９，図１４に示すように、座席１の台枠３０がロング状態（０°）にある時、回転ロック機構６０のロックピン６１は、台枠３０の一長辺側の係止孔６２ａに挿入されて係合している。ここでロックピン６１は、床面上に固設されている脚台１１から出没するため、座席１は回転不能のみならず、進退も不能に同時にロックされる。この時、進退ロック機構７０では、特にロックする必要はなく、ロックピン７１はフリーな状態となっている。
【０１００】
図３３（ａ）〜図３３（ｃ）に示すように、台枠３０（座席１）をロング状態（０°）から一クロス状態（９０°）に変換させるには、モータ４２の正回転による電動操作のみによって行われる。回転ロック機構６０のロックピン６１を係止孔６２ａから外すには、図２４（ａ）に示した板金３２の厚さ分だけ余分にストロークさせる必要があるが、この大きなストロークは電動操作でのみ可能となる。よって、座席１がロング状態（０°）にある時は、手動操作では回転ロック機構６０のロックを解除することはできない。
【０１０１】
図３３（ａ）において、電動操作により回転ロック機構６０のロックを解除した後、図３３（ｂ）に示すように、台枠３０（座席１）を一方向（図３３中で時計回り）へ回転させると、台枠３０は連動機構５０により直線運動に変換されながら回転する。すなわち、台枠３０の回転時に壁面Ａ１（図８参照）と干渉しないように、台枠３０は回転しながら通路側へ大きく前進した後、壁面Ａ１側へ引き込まれるように小さく後退しながら９０°回転する。
【０１０２】
図１４および図１７に示すように、連動機構５０では、台枠３０側のローラー５２と補助ローラー５３が、脚台１１側のガイドレール５１を両側から挟持している。かかる状態でローラー５２と補助ローラー５３は、台枠３０の回転に伴いガイドレール５１の一端から他端にかけて移動し、台枠３０の回転が直線運動に変換される。ここでローラー５２は、ガイドレール５１の一側面に沿って回動しつつ移動し、補助ローラー５３も、ガイドレール５１の他側面に沿って押圧されながら偏心回転するため、各ローラー５２，５３がガイドレール５１から外れることはない。
【０１０３】
図３３（ｃ）に示すように、台枠３０（座席１）が一クロス状態（９０°）に到達すると、回転ロック機構６０のロックピン６１は、台枠３０の一短辺側の係止孔６２ｂ（図１７参照）に挿入されて係合し、台枠３０は回転不能にロックされる。同時に、進退ロック機構７０のロックピン７１は、移動台２０の後側の係止孔７２ｂ（図１９参照）に挿入可能な位置まで移動する。
【０１０４】
ここでロックピン７１の先端は、台枠３０の回転に伴う移動台２０の進退時に、図１６に示すフレーム材２３の前端側から係止孔７２ｂ上を一旦通過する。この時、ロックピン７１の先端が係止孔７２ｂの手前にあるヒンジ７５に前側から当たると、図２６に示すようにヒンジ７５が倒れて係止孔７２ｂは一時的に塞がれる。その後、ロックピン７１の先端は、再びフレーム材２３の前端側へ少し戻って係止孔７２ｂに挿入可能な位置まで移動する。
【０１０５】
次に、台枠３０（座席１）を、図１０に示す一クロス状態（９０°）から図１１に示す逆クロス状態（２７０°）に変換させるには、モータ４２の正回転による電動操作あるいは手動操作によって行われる。回転ロック機構６０のロックピン６１を係止孔６２ｂから外すためには、図２４に示す板金３２がない分、小さなストロークだけで済む。よって、電動操作のみならず手動操作でも回転ロック機構６０のロックを解除することができる。
【０１０６】
図１７に示す一クロス状態（９０°）において、回転ロック機構６０によるロックを解除した後、図示省略した座席１の座席背面側を通路側に向けながら一方向（図１７中で時計回り）へ１８０°回転させる。この時、進退ロック機構７０はロックされており、台枠３０が前後方向へ進退することはない。また、連動機構５０では、台枠３０側のローラー５２と補助ローラー５３は、脚台１１側のガイドレール５１の他端より外側へ離脱することになる。
【０１０７】
ところで、座席１が一クロス状態（９０°）にある時、手動操作でロング状態（０°）へ戻る逆方向（図１７中で反時計回り）へ回転すると、座席１が壁面Ａ１（図８参照）と干渉する虞がある。よって、一クロス状態（９０°）では、座席１の他方向への回転を制限する必要がある。そのため、図３２に示したように、係止孔６２ｂの周縁のうち他方向側となる片側半部だけに沿って、所定の厚さの板金３３（前記板金３２と同等のもの）を取り付ける。これにより、手動操作では、一クロス状態（９０°）からロング状態（０°）へ戻す変換はできなくなる。
【０１０８】
座席１が一方向へ１８０°回転して、図２０に示すように、逆クロス状態（２７０°）に到達すると、回転ロック機構６０のロックピン６１が、台枠３０の他方の短辺側の係止孔６２ｃに挿入されて係合し、台枠３０は回転不能にロックされる。この時、進退ロック機構７０は、ロックされたままの状態にある。  
なお、手動操作により、既に逆クロス状態（２７０°）にある座席１についても、電動操作の場合は同様の動作が行われるが、座席１は脚台１１にあるストッパ１６によって、逆クロス状態（２７０°）からさらに同じ一方向へは回転することはない。
【０１０９】
次に、台枠３０（座席１）を、逆クロス状態（２７０°）から一クロス状態（９０°）に戻す場合は、モータ４２の逆回転による電動操作あるいは手動操作によって行われる。回転ロック機構６０によるロックを解除した後、図２０において、台枠３０を今度は逆方向（図２０中で反時計回り）へ１８０°回転させる。この時、進退ロック機構７０はロックされており、台枠３０が前後方向へ進退することはない。
【０１１０】
座席１が逆方向へ１８０°回転して、図１７に示すように、一クロス状態（９０°）に到達すると、回転ロック機構６０のロックピン６１が、台枠３０の一方の短辺側の係止孔６２ｂに挿入されて係合し、台枠３０は回転不能にロックされる。この時、進退ロック機構７０はロックされたままの状態にある。
【０１１１】
また、連動機構５０では、台枠３０側のローラー５２と補助ローラー５３が、脚台１１側のガイドレール５１の他端より再び係合する。この時、補助ローラー５３は、バネ部材５６の付勢により、ガイド溝５５の範囲でバネ部材５６側に移動しているため（図２２参照）、確実にガイドレール５１の他端を受け止めることができる。なお、手動操作により、既に一クロス状態（９０°）にある座席１については、前記センサ１８がＯＮになっていることにより、電動操作による回転動作は行われないように制御される。
【０１１２】
次に、図３３（ｃ）〜図３３（ａ）に示すように、座席１を一クロス状態（９０°）から元のロング状態（０°）に戻すには、モータ４２の逆回転による電動操作のみによって行われる。前述したように、回転ロック機構６０のロックピン６１は、手動操作による小さなストロークでは、係止孔６２ｂの片側半部にある板金３３（図３２参照）の厚さを乗り越えることはできない。
【０１１３】
図３３（ｃ）において、電動操作により回転ロック機構６０のロックを解除した後、台枠３０（座席１）を他方向（図中で反時計回り）へ回転させると、連動機構５０により直線運動にも変換されながら回転する。すなわち、台枠３０の回転時に壁面Ａ１（図８参照）と干渉しないように、台枠３０は回転しながら通路側へ小さく前進した後、壁面Ａ１側へ引き込まれるように大きく後退しながら９０°回転する。
【０１１４】
この時、連動機構５０では、台枠３０側のローラー５２と補助ローラー５３は、脚台１１側のガイドレール５１の他端から一端にかけて移動し、台枠３０の回転が直線運動に変換される。また、進退ロック機構７０では、ロックピン７１によるロックが解除されている。詳しく言えば、図２９に示すように、ロックピン７１の上側の係止穴７１ａにサイドピン７６の先端が係合することで、ロックピン７１は引っ込んだ解除状態に保持されている。
【０１１５】
図３３（ａ）に示すように、台枠３０（座席１）がロング状態（０°）に到達すると、回転ロック機構６０のロックピン６１は、台枠３０の一長辺側の係止孔６２ａ（図１４参照）に挿入されて係合し、台枠３０は回転不能にロックされる。また、進退ロック機構７０では、ロックピン７１からサイドピン７６が外れてフリーな状態となる。
【０１１６】
詳しく言えば、図１６において、ロックピン７１がフレーム材２３の前側にある係止孔７２ａの手前まで移動すると、図３１に示すように、移動台２０側の解除レバー７８によって、揺動部材７７が押圧されて揺動し、サイドピン７６はロックピン７１の係止穴７１ａから離脱する。なお、図１４に示すように、台枠３０（座席１）がロング状態（０°）にある時、台枠３０は脚台１１にあるストッパ１７によって、ロング状態（０°）から逆方向（図中で反時計回り）へ回転することはない。
【０１１７】
このように、本変換機構１０によれば、台枠３０は、大元の固定側となる脚台１１の上面部１２の上側に配置され、該上面部１２との間に移動台２０を介在させることなく回転する。そのため、台枠３０を脚台１１側から容易に係止して拘束することが可能となる。台枠３０を脚台１１側から係止して拘束する場合、台枠３０が回転不能になるだけでなく、併せて脚台１１に対する台枠３０の進退も不能となる。
【０１１８】
従って、台枠３０を回転不能かつ進退不能に同時に拘束可能な回転ロック機構６０を実現することができる。かかる回転ロック機構６０によれば、移動台２０に対する台枠３０の回転の拘束だけでなく、脚台１１に対する移動台２０の進退の拘束も、一つのロック機構で行うことができる。
【０１１９】
また、前記回転ロック機構６０とは別に、台枠３０を進退不能に拘束可能な進退ロック機構７０を備えたことにより、回転ロック機構６０による拘束を解除した状態においても、座席１の進退のみ不能に拘束することが可能となり、座席１の進退位置を固定したままで、座席１を回転させることができる。
【０１２０】
次に、本実施の形態に係る座席制御装置１００による制御の詳細を説明する。  
図３〜図７に示すように、鉄道車両の客室Ａには、例えば、前後（進行）方向の両側に一列ずつ、４つの座席１が前後に並べて配置されている。ここで各座席１は、右列および左列において、前述したように奇数列と偶数列との２つにグループ分けされている。以下、図中において説明上、右列の座席１は、先頭から順に座席Ｒ１、座席Ｒ２、座席Ｒ３、座席Ｒ４とし、左列の座席１は、先頭から順に座席Ｌ１、座席Ｌ２、座席Ｌ３、座席Ｌ４として区別する。
【０１２１】
本座席制御装置１００によれば、例えば、鉄道車両の始発駅または終着駅において、各車両の客室Ａごとに全ての座席１を、自動的に何れか任意の向きに変換させることができる。ただし、全ての座席１の状態を同時に変換させると、前後に隣接する座席１同士が互いに干渉する場合があるので、前後に並ぶ奇数列と偶数列とのグループごとに順次変換させている。なお、前後に隣接する座席１同士が干渉する虞がない場合、もちろん全ての座席１の状態を一斉に変換させても良い。
以下、各座席１の状態の変換についてケース別に説明する。
【０１２２】
［Ａ．一クロス状態に変換させる場合］
各座席１を一クロス状態に変換させる場合、各座席１の元の状態が、ロング状態または逆クロス状態にある場合から制御を開始することになる。ただし、逆クロス状態では、手動操作により一クロス状態にも変換できるので、一部の座席１が既に一クロス状態あることもあり得る。
【０１２３】
［Ａ１．ロング状態から一クロス状態に変換させる場合］
以下、図３に沿って、ロング状態から一クロス状態に変換させる場合について説明する。図３（ａ）に示すように、各座席１がロング状態にある状況において、車両が始発駅を発車する等のタイミングで、各座席１を終着駅を向く一クロス状態に変換させる場合、操作スイッチ１０１を操作して、各座席１を一クロス状態に変換させる指示を制御盤１１０に送る。
【０１２４】
操作スイッチ１０１からの指示に基づき制御盤１１０は、図３（ａ）において、先ず奇数列の座席Ｒ１，Ｒ３，Ｌ１，Ｌ３のモータ４２に対して、ロング状態から一クロス状態に変換させる動作を指示する。すると、図３（ｂ）に示すように、これら奇数列の座席Ｒ１，Ｒ３，Ｌ１，Ｌ３のモータ４２は一斉に正回転して（左列Ｌ１，Ｌ３の場合は逆回転）、この一回のステップにより、奇数列の座席Ｒ１，Ｒ３，Ｌ１，Ｌ３は一斉に一クロス状態に変換される。
【０１２５】
次いで、制御盤１１０は、図３（ｂ）において、奇数列の座席Ｒ１，Ｒ３，Ｌ１，Ｌ３のモータ４２に対して、逆クロス状態から一クロス状態に変換させる動作を指示する。しかし、これら奇数列の座席Ｒ１，Ｒ３，Ｌ１，Ｌ３は、前述したステップで既に一クロス状態に変換されており、この状態がセンサ１８によって検出されるため、当該ステップでは一クロス状態に変換させる動作は行われない。
【０１２６】
その後、制御盤１１０は、図３（ｃ）において、今度は偶数列の座席Ｒ２，Ｒ４，Ｌ２，Ｌ４のモータ４２に対して、ロング状態から一クロス状態に変換させる動作を指示する。すると、図３（ｄ）に示すように、これら偶数列の座席Ｒ２，Ｒ４，Ｌ２，Ｌ４のモータ４２は一斉に正回転して（左列Ｌ２，Ｌ４の場合は逆回転）、この一回のステップにより、偶数列の座席Ｒ２，Ｒ４，Ｌ２，Ｌ４は一斉に一クロス状態に変換される。
【０１２７】
次いで、制御盤１１０は、図３（ｄ）において、偶数列の座席Ｒ２，Ｒ４，Ｌ２，Ｌ４のモータ４２に対して、逆クロス状態から一クロス状態に変換させる動作を指示する。しかし、これらの偶数列の座席Ｒ２，Ｒ４，Ｌ２，Ｌ４は、前述したステップで既に一クロス状態に変換されており、かかる状態がセンサ１８によって検出されているため、当該ステップでは一クロス状態に変換させる動作は行われない。
以上の一連の制御によって、図３（ｅ）に示すように、客室Ａにある全ての座席１をロング状態から一クロス状態に一斉に変換させることができる。
【０１２８】
［Ａ２．逆クロス状態から一クロス状態に変換させる場合］
以下、図４に沿って、逆クロス状態から一クロス状態に変換させる場合について説明する。車両が始発駅に到着して進行方向が反転するとき等、図４（ａ）に示す始発駅向きの逆クロス状態から終着駅向きの一クロス状態に変換させる場合、操作スイッチ１０１を操作して、各座席１を一クロス状態に変換させる指示を制御盤１１０に送る。なお、変換制御前に、乗客の手動操作によって既に一クロス状態になっている座席Ｒ２，Ｌ２もあり得る。
【０１２９】
操作スイッチ１０１からの指示に基づき制御盤１１０は、図４（ａ）において、先ず奇数列の座席Ｒ１，Ｒ３，Ｌ１，Ｌ３のモータ４２に対して、ロング状態から一クロス状態に変換させる動作を指示する。このとき、奇数列の座席Ｒ１，Ｒ３，Ｌ１，Ｌ３は逆クロス状態にあり、制御盤１１０は、そのまま奇数列の座席Ｒ１，Ｒ３，Ｌ１，Ｌ３のモータ４２を一律に正回転させる。しかしながら、各座席１は前記ストッパ１６により、モータ４２の正回転に関わらず逆クロス状態から一クロス状態への変換が阻止される。ここでモータ４２は、当て止め可能であるため、過負荷により破損する虞もない。
【０１３０】
次いで、制御盤１１０は、図４（ｂ）において、奇数列の座席Ｒ１，Ｒ３，Ｌ１，Ｌ３のモータ４２に対して、逆クロス状態から一クロス状態に変換させる動作を指示する。すると、これら奇数列の座席Ｒ１，Ｒ３，Ｌ１，Ｌ３のモータ４２は一斉に逆回転して（左列Ｌ２，Ｌ４の場合は正回転）、このステップにより、図４（ｃ）に示すように、奇数列の座席Ｒ１，Ｒ３，Ｌ１，Ｌ３は一斉に一クロス状態に変換される。
【０１３１】
その後、制御盤１１０は、図４（ｃ）において、今度は偶数列の座席Ｒ２，Ｒ４，Ｌ２，Ｌ４のモータ４２に対して、ロング状態から一クロス状態に変換させる動作を指示する。このとき、一番後（図中で右端）の座席Ｒ４，Ｌ４は逆クロス状態にあるが、制御盤１１０は、そのまま座席Ｒ４，Ｌ４のモータ４２を一律に正回転させる。しかしながら、座席Ｒ４，Ｌ４はストッパ１６により、一クロス状態への変換が阻止されることは、前述した図４（ａ）の奇数列の場合と同様である。
【０１３２】
また、図４（ｃ）において、前側（図中で左）から２列目の座席Ｒ２，Ｌ２は、乗客の手動操作によって既に一クロス状態にある。従って、これらの座席Ｒ２，Ｌ２に関しては、センサ１８によって一クロス状態にあることが検出されているため、当該ステップでは再度一クロス状態に変換させる動作は行われない。なお、図４では、客室Ａの右列と左列とにおいて、それぞれ同じ前後位置にある座席１の状態が同じ例を示しているが、もちろん左列と右列とで座席１の状態が異なる場合もあり得る。
【０１３３】
次いで、制御盤１１０は、図４（ｄ）において、偶数列の座席Ｒ２，Ｒ４，Ｌ２，Ｌ４のモータ４２に対して、逆クロス状態から一クロス状態に変換させる動作を指示する。すると、未だ逆クロス状態にあった一番後（図中で右端）の座席Ｒ４，Ｌ４のモータ４２は一斉に逆回転して（左列Ｌ４の場合は正回転）、このステップにより、図４（ｅ）に示すように、座席Ｒ４，Ｌ４は一クロス状態に変換される。
【０１３４】
このとき、前側（図中で左）から２列目の座席Ｒ２，Ｌ２は、既に一クロス状態にあることがセンサ１８によって検出されているため、前述した図４（ｃ）で説明した当該座席Ｒ２，Ｌ２の場合と同様に、再度一クロス状態に変換される動作は行われない。
以上の一連の制御によって、図４（ｅ）に示すように、客室Ａにある全ての座席１を逆クロス状態から一クロス状態に一斉に変換させることができる。
【０１３５】
［Ｂ．逆クロス状態に変換させる場合］
各座席１を逆クロス状態に変換させる場合、各座席１の元の状態が、ロング状態または一クロス状態にある場合から制御を開始することになる。ただし、一クロス状態では、手動操作により逆クロス状態にも変換できるので、一部の座席１が既に逆クロス状態あることもあり得る。
【０１３６】
［Ｂ１．ロング状態から逆クロス状態に変換させる場合］
以下、図５に沿って、ロング状態から逆クロス状態に変換させる場合について説明する。図５（ａ）に示すように、各座席１がロング状態にある時に、車両が終着駅に到着する等して各座席１を始発駅を向く逆クロス状態に変換させる場合、操作スイッチ１０１を操作して、各座席１を逆クロス状態に変換させる指示を制御盤１１０に送る。
【０１３７】
操作スイッチ１０１からの指示に基づき制御盤１１０は、図５（ａ）において、先ず奇数列の座席Ｒ１，Ｒ３，Ｌ１，Ｌ３のモータ４２に対して、ロング状態から一クロス状態に変換させる動作を指示する。すると、これら奇数列の座席Ｒ１，Ｒ３，Ｌ１，Ｌ３のモータ４２は一斉に正回転して（左列Ｌ１，Ｌ３の場合は逆回転）、このステップにより、図５（ｂ）に示すように、奇数列の座席Ｒ１，Ｒ３，Ｌ１，Ｌ３は一斉に一クロス状態に変換される。
【０１３８】
続いて、制御盤１１０は、図５（ｂ）において、奇数列の座席Ｒ１，Ｒ３，Ｌ１，Ｌ３のモータ４２に対して、一クロス状態から逆クロス状態に変換させる動作を指示する。すると、これら奇数列の座席Ｒ１，Ｒ３，Ｌ１，Ｌ３のモータ４２は一斉に正回転して（左列Ｌ１，Ｌ３の場合は逆回転）、このステップにより、図５（ｃ）に示すように、奇数列の座席Ｒ１，Ｒ３，Ｌ１，Ｌ３は一斉に逆クロス状態に変換される。
【０１３９】
その後、制御盤１１０は、図５（ｃ）において、今度は偶数列の座席Ｒ２，Ｒ４，Ｌ２，Ｌ４のモータ４２に対して、ロング状態から一クロス状態に変換させる動作を指示する。すると、これら偶数列の座席Ｒ２，Ｒ４，Ｌ２，Ｌ４のモータ４２は一斉に正回転して（左列Ｌ２，Ｌ４の場合は逆回転）、このステップにより、図５（ｄ）に示すように、偶数列の座席Ｒ２，Ｒ４，Ｌ２，Ｌ４は一斉に一クロス状態に変換される。
【０１４０】
続いて、制御盤１１０は、図５（ｄ）において、偶数列の座席Ｒ２，Ｒ４，Ｌ２，Ｌ４のモータ４２に対して、一クロス状態から逆クロス状態に変換させる動作を指示する。すると、これら偶数列の座席Ｒ２，Ｒ４，Ｌ２，Ｌ４のモータ４２は一斉に正回転して（左列Ｌ２，Ｌ４の場合は逆回転）、このステップにより、図５（ｅ）に示すように、偶数列の座席Ｒ２，Ｒ４，Ｌ２，Ｌ４も一斉に逆クロス状態に変換される。
以上の一連の制御によって、図５（ｅ）に示すように、客室Ａにある全ての座席１をロング状態から逆クロス状態に一斉に変換させることができる。
【０１４１】
［Ｂ２．一クロス状態から逆クロス状態に変換させる場合］
以下、図６に沿って、一クロス状態から逆クロス状態に変換させる場合について説明する。車両が終着駅に到着して進行方向が反転するとき等、図６（ａ）に示す終着駅向きの一クロス状態から、始発駅向きの逆クロス状態に変換させる場合、操作スイッチ１０１を操作して、各座席１を逆クロス状態に変換させる指示を制御盤１１０に送る。なお、変換制御前に、乗客の手動操作によって既に逆クロス状態になっている座席Ｒ２，Ｌ２もあり得る。
【０１４２】
操作スイッチ１０１からの指示に基づき制御盤１１０は、図６（ａ）において、先ず奇数列の座席Ｒ１，Ｒ３，Ｌ１，Ｌ３のモータ４２に対して、ロング状態から一クロス状態に変換させる動作を指示する。しかし、これら奇数列の座席Ｒ１，Ｒ３，Ｌ１，Ｌ３は、元から一クロス状態にあるため、この状態がセンサ１８によって検出されることにより、当該ステップでは一クロス状態に変換させる動作は行われない。
【０１４３】
次いで、制御盤１１０は、図６（ｂ）において、奇数列の座席Ｒ１，Ｒ３，Ｌ１，Ｌ３のモータ４２に対して、一クロス状態から逆クロス状態に変換させる動作を指示する。すると、これら奇数列の座席Ｒ１，Ｒ３，Ｌ１，Ｌ３のモータ４２は一斉に正回転して（左列Ｌ１，Ｌ３の場合は逆回転）、このステップにより、図６（ｃ）に示すように、奇数列の座席Ｒ１，Ｒ３，Ｌ１，Ｌ３は一斉に逆クロス状態に変換される。
【０１４４】
その後、制御盤１１０は、図６（ｃ）において、今度は偶数列の座席Ｒ２，Ｒ４，Ｌ２，Ｌ４のモータ４２に対して、ロング状態から一クロス状態に変換させる動作を指示する。このとき、前（図中で左）から２列目の座席Ｒ２，Ｌ２は逆クロス状態にあり、制御盤１１０は、そのまま座席Ｒ２，Ｌ２のモータ４２も一律に正回転させる。しかしながら、座席Ｒ２，Ｌ２はストッパ１６により、モータ４２の正回転に関わらず逆クロス状態から一クロス状態への変換が阻止される。ここでモータ４２が当て止め可能であることは、前述のとおりである。
【０１４５】
また、図６（ｃ）において、偶数列の一番後（図中で右端）の座席Ｒ４，Ｌ４は、元から一クロス状態にある。従って、これらの座席Ｒ４，Ｌ４に関しては、センサ１８によって一クロス状態にあることが検出されているため、当該ステップでは再度一クロス状態に変換させる動作は行われない。なお、図６でも、客室Ａの右列と左列とにおいて、それぞれ同じ前後位置にある座席１の状態が同じ例を示しているが、もちろん左列と右列とで座席１の状態が異なる場合もあり得る。
【０１４６】
次いで、制御盤１１０は、図６（ｄ）において、偶数列の座席Ｒ２，Ｒ４，Ｌ２，Ｌ４のモータ４２に対して、一クロス状態から逆クロス状態に変換させる動作を指示する。すると、未だ一クロス状態にあった一番後側（図中で右端）の座席Ｒ４，Ｌ４のモータ４２は一斉に正回転して（左列Ｌ４の場合は逆回転）、このステップにより、図６（ｅ）に示すように、最後の座席Ｒ４，Ｌ４も一クロス状態に変換される。
【０１４７】
このとき、前（図中で左）から２列目の座席Ｒ２，Ｌ２は逆クロス状態にあり、制御盤１１０は、そのまま座席Ｒ２，Ｌ２のモータ４２も一律に正回転させる。しかしながら、座席Ｒ２，Ｌ２はストッパ１６により、一クロス状態への変換が阻止されることは、前述したとおりである。
以上の一連の制御によって、図６（ｅ）に示すように、客室Ａにある全ての座席１を一クロス状態から逆クロス状態に一斉に変換させることができる。
【０１４８】
［Ｃ．ロング状態に変換させる場合］
各座席１をロング状態に変換させる場合、各座席１の元の状態が、一クロス状態または逆クロス状態にある場合から制御を開始することになる。
以下、図７に沿って、各座席１を何れかの状態からロング状態に変換させる場合について説明する。
【０１４９】
図７（ａ）に示すように、各座席１が一クロス状態または逆クロス状態にある状況において、客室Ａの通路を広くする等の事情により、各座席１をロング状態に変換させる場合、操作スイッチ１０１を操作して、各座席１をロング状態に変換させる指示を制御盤１１０に送る。
【０１５０】
操作スイッチ１０１からの指示に基づき制御盤１１０は、図７（ａ）において、先ず奇数列の座席Ｒ１，Ｒ３，Ｌ１，Ｌ３のモータ４２に対して、逆クロス状態から一クロス状態に変換させる動作を指示する。奇数列の座席Ｒ１，Ｒ３，Ｌ１，Ｌ３は、全て逆クロス状態にあるため、これら奇数列の座席Ｒ１，Ｒ３，Ｌ１，Ｌ３のモータ４２は一斉に逆回転して（左列Ｌ１，Ｌ３の場合は正回転）、このステップにより、図７（ｂ）に示すように、奇数列の座席Ｒ１，Ｒ３，Ｌ１，Ｌ３は一斉に一クロス状態に変換される。
【０１５１】
次いで、制御盤１１０は、図７（ｂ）において、奇数列の座席Ｒ１，Ｒ３，Ｌ１，Ｌ３のモータ４２に対して、一クロス状態からロング状態に変換させる動作を指示する。すると、これら奇数列の座席Ｒ１，Ｒ３，Ｌ１，Ｌ３のモータ４２は一斉に逆回転して（左列Ｌ１，Ｌ３の場合は正回転）、このステップにより、図７（ｃ）に示すように、奇数列の座席Ｒ１，Ｒ３，Ｌ１，Ｌ３は一斉にロング状態に変換される。
【０１５２】
その後、制御盤１１０は、図７（ｃ）において、今度は偶数列の座席Ｒ２，Ｒ４，Ｌ２，Ｌ４のモータ４２に対して、逆クロス状態から一クロス状態に変換させる動作を指示する。すると、逆クロス状態にあった一番後（図中で右端）の座席Ｒ４，Ｌ４では、モータ４２が逆回転して（左列Ｌ４の場合は正回転）、このステップにより、図７（ｄ）に示すように、座席Ｒ４，Ｌ４は一クロス状態に変換される。
【０１５３】
このとき、図７（ｃ）において、前（図中で左）から２列目の座席Ｒ２，Ｌ２は、元から一クロス状態にある。従って、これらの座席Ｒ２，Ｌ２に関しては、センサ１８によって一クロス状態にあることが検出されているため、当該ステップでは再度一クロス状態に変換させる動作は行われない。なお、図７でも、客室Ａの右列と左列とにおいて、それぞれ同じ前後位置にある座席１の状態が同じ例を示しているが、もちろん左列と右列とで座席１の状態が異なる場合もあり得る。
【０１５４】
続いて、制御盤１１０は、図７（ｄ）において、偶数列の座席Ｒ２，Ｒ４，Ｌ２，Ｌ４のモータ４２に対して、一クロス状態からロング状態に変換させる動作を指示する。すると、これら偶数列の座席Ｒ２，Ｒ４，Ｌ２，Ｌ４のモータ４２は一斉に逆回転して（左列Ｌ２，Ｌ４の場合は正回転）、このステップにより、図７（ｅ）に示すように、偶数列の座席Ｒ２，Ｒ４，Ｌ２，Ｌ４も一斉にロング状態に変換される。
このような一連の制御によって、図７（ｅ）に示すように、客室Ａにある全ての座席１をロング状態に一斉に変換させることができる。
【０１５５】
以上のように、座席制御装置１００の制御によれば、各座席１が電動ないし手動操作によって、ロング状態、一クロス状態、逆クロス状態の何れの状態にあったとしても、座席１ごとに各々の状態を個別に逐一判別することなく、図２に示すように、最小限に統一された動作指示信号だけでモータ４２の動作を制御し、座席１を所望の状態に変換させることができる。これにより、座席１の状態の変換に時間がかからず、複数の座席１も短時間で一斉に変換させることができ、簡易なプログラムや部品によって変換の動作制御も容易に実現することができる。
【０１５６】
特に、座席制御装置１００は、座席１の３つの状態のうち、最も位置（経由）する確率が高い一クロス状態に座席１があることを検出するセンサ１８を１つだけ備える。そして、制御盤１１０は、座席１をロング状態または逆クロス状態から一クロス状態に変換させる場合、既に座席１が一クロス状態にあることをセンサ１８が検出すると、一クロス状態に変換させる動作を行わない。これにより、座席１の変換においては、１つのセンサ１８を備えるだけで、最も頻度の高いモータ４２の無駄な駆動を省くことができる。
【０１５７】
また、座席制御装置１００では、座席１を何れか一の状態から他の状態に変換させる動作を指示した際に、座席１が前述した所定の条件下にあればモータ４２を一律に回転させる。これにより、モータ４２を選択的に作動させるような制御フローをなるべく省き、制御を簡素化することができる。さらに、本来想定していないような所定条件下における座席１の変換の阻止も、複雑な制御フローを経ることなく、単純にストッパ１６，１７で機械的に阻止することができる。ここでモータ４２は、当て止め可能であるため、過負荷により破損する虞もない。
【０１５８】
なお、本実施の形態に係る座席制御装置１００では、奇数列の座席１と偶数列の座席１との２つにグループ分けして、時間をずらして制御している。これにより、前後に隣接する座席１同士が同時に動作することはなく、前後に１つおきの座席１が同時に動作することになるため、全体的な動作時間を極力短くすると共に、座席１同士の動作中における干渉を防ぐことができる。
【０１５９】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、脚台１１、移動台２０、台枠３０等の具体的な形状は、図示したものに限定されることはない。
【０１６０】
また、前記実施の形態では、座席１は２人掛けの例を説明したが、３人掛けや１人掛けの座席１であっても良い。また、客室Ａにおける各座席１を全て同一のものに揃えたが、例えば、右列に並ぶ座席１は２人掛け用として、左列に並ぶ座席１は３人掛け用とする等と異ならせても良い。
【０１６１】
また、前記実施の形態では、座席１の３つの状態として、ロング状態と一クロス状態と逆クロス状態とに変換させる例を説明したが、座席１の状態は水平方向における向きに限定されることなく、他に例えば、座席１の背凭れないし座部の傾動角度や姿勢等により定めても良い。また、前記実施の形態では、各座席を奇数列と偶数列との２つにグループ分けしたが、例えば、グループ分けの定義は特に限定されるものではなく、車両単位でグループ分けすること等も考えられる。
【０１６２】
また、前記脚台１１の上面部１２に設けた回避部１２ａは、上面部１２の前側の短辺から略中央に亘って凹む湾状の切り欠きとしたが、回転軸４１の移動軌跡に沿う箇所のみで、上面部１２が回転軸４１と干渉しなければ足りる。よって、回避部は、他に例えば、回転軸４１の移動軌跡を含むように、上面部１２に設けた細長状の孔や溝でも良い。
【０１６３】
さらに、前記連動機構５０は、ガイドレール５１を備えるものに限定されない。すなわち、連動機構は、台枠３０の下側に設けたカムと、脚台１１の上面部１２に設けたローラー状のカムフォロアとにより構成しても良い。かかるカム式の連動機構では、カムをカムフォロアに押し当てながら回転させることにより、この回転力を移動台２０の直線運動にも変換させて、座席１をロング状態から一クロス状態、一クロス状態からロング状態に変換させることができる。
【産業上の利用可能性】
【０１６４】
本発明は、鉄道車両、航空機、自動車、船舶等の客室内に設置される乗物用の座席の他、劇場用、家庭用、事務用の椅子を対象とした座席に関する座席制御装置として広く利用することができる。
【符号の説明】
【０１６５】
１  …座席
１０…変換機構
１１…脚台
１２…上面部
１２ａ…回避部
１３…側部
１４…スライド機構
１５…ガイドレール
１６…ストッパ
１７…ストッパ
１８…センサ（検出手段）
２０…移動台
２１…側部
２２…取付部
２３…フレーム材
３０…台枠
４０…回転機構
４１…回転軸
４２…モータ
５０…連動機構
５１…ガイドレール
５２…ローラー
５３…補助ローラー
６０…回転ロック機構
６１…ロックピン
６２ａ，６２ｂ，６２ｃ…係止孔
７０…進退ロック機構
７１…ロックピン
７２ａ，７２ｂ…係止孔
１００…座席制御装置
１０１…操作スイッチ
１１０…制御盤（制御手段）
【図１】
2018187971.tif 000003
【図２】
2018187971.tif 000004
【図３】
2018187971.tif 000005
【図４】
2018187971.tif 000006
【図５】
2018187971.tif 000007
【図６】
2018187971.tif 000008
【図７】
2018187971.tif 000009
【図８】
2018187971.tif 000010
【図９】
2018187971.tif 000011
【図１０】
2018187971.tif 000012
【図１１】
2018187971.tif 000013
【図１２】
2018187971.tif 000014
【図１３】
2018187971.tif 000015
【図１４】
2018187971.tif 000016
【図１５】
2018187971.tif 000017
【図１６】
2018187971.tif 000018
【図１７】
2018187971.tif 000019
【図１８】
2018187971.tif 000020
【図１９】
2018187971.tif 000021
【図２０】
2018187971.tif 000022
【図２１】
2018187971.tif 000023
【図２２】
2018187971.tif 000024
【図２３】
2018187971.tif 000025
【図２４】
2018187971.tif 000026
【図２５】
2018187971.tif 000027
【図２６】
2018187971.tif 000028
【図２７】
2018187971.tif 000029
【図２８】
2018187971.tif 000030
【図２９】
2018187971.tif 000031
【図３０】
2018187971.tif 000032
【図３１】
2018187971.tif 000033
【図３２】
2018187971.tif 000034
【図３３】
2018187971.tif 000035